(57)【要約】【課題】情報処理装置に周辺機器を接続可能なシステムにおいて、ネットワークに接続されていない状態でも、周辺機器の機器制御ソフトを情報処理装置に自動的にインストールすることが可能な情報処理方法及びシステムを提供する。【解決手段】情報処理装置１００が、周辺機器１１０と接続ケーブル１３０を介して接続された時、情報処理装置１００は、周辺機器１１０の不揮発メモリ１２０に格納されている機器制御ソフト１２１を自動的に読み込み、インストールする。情報処理装置１００はオペレーティングシステム２０１に読み込んだ機器制御ソフト１２１を組み込んで、オペレーティングシステム２０１を自動的に再構築する。さらに、アプリケーションソフト２０２の実行に必要な設定情報１２２を不揮発メモリ１２０から読み込んでアプリケーションソフト２０２に設定することで、周辺機器１１０を自動的に制御可能な状態にする。【選択図】図１
2006323510.tif 000002
【特許請求の範囲】
【請求項１】
情報処理装置にインストールされたオペレーティングシステム及びアプリケーションソフト、並びに前記オペレーティングシステムに組み込まれた機器制御ソフトにより周辺機器の動作を制御する情報処理方法であって、
前記情報処理装置が前記周辺機器に接続された時、前記情報処理装置は前記周辺機器の不揮発メモリに格納された機器制御ソフトを読み込み、前記オペレーティングシステムに組み込んでオペレーティングシステムを再構築することを特徴とする情報処理方法。
【請求項２】
前記情報処理装置が前記周辺機器に接続された時、前記情報処理装置は、前記周辺機器の不揮発メモリに格納された前記アプリケーションソフトを実行する際に必要となる設定情報を読み込み、前記アプリケーションソフトに設定することを特徴とする請求項１記載の情報処理方法。
【請求項３】
前記周辺機器が前記情報処理装置から切り離された時、前記情報処理装置は、前記オペレーティングシステムに組み込まれた前記機器制御ソフトを削除してオペレーティングシステムを再構築することを特徴とする請求項１又は２記載の情報処理方法。
【請求項４】
前記周辺機器が前記情報処理装置から切り離された時、前記情報処理装置は前記設定情報を前記アプリケーションソフトから削除することを特徴とする請求項３記載の情報処理方法。
【請求項５】
前記周辺機器は異なるオペレーティングシステムに対応した複数の機器制御ソフトを格納することを特徴とする請求項１〜４のいずれかに記載の情報処理方法。
【請求項６】
前記周辺機器は異なるオペレーティングシステムに対応した複数の設定情報を更に格納することを特徴とする請求項５記載の情報処理方法。
【請求項７】
オペレーティングシステム及びアプリケーションソフト並びに、前記オペレーティングシステムに組み込まれた機器制御ソフトにより周辺機器の動作を制御することが可能な情報処理装置と、
不揮発メモリに前記機器制御ソフトを格納した周辺機器とを備え、
前記情報処理装置が前記周辺機器に接続された時、前記情報処理装置は前記周辺機器の不揮発メモリに格納された機器制御ソフトを読み込み、前記オペレーティングシステムに組み込んでオペレーティングシステムを再構築することを特徴とする情報処理システム。
【請求項８】
前記情報理装置が前記周辺機器に接続された時、前記情報処理装置は、前記周辺機器の不揮発メモリに格納された前記アプリケーションソフトを実行する際に必要となる設定情報を読み込み、前記アプリケーションソフトに設定することを特徴とする請求項７記載の情報処理システム。
【請求項９】
前記周辺機器が前記情報処理装置から切り離された時、前記情報処理装置は前記オペレーティングシステムに組み込まれた前記機器制御ソフトを削除してオペレーティングシステムを再構築することを特徴とする請求項７又は８記載の情報処理システム。
【請求項１０】
前記周辺機器が前記情報処理装置から切り離された時、前記情報処理装置は前記アプリケーションソフトから前記設定情報を削除することを特徴とする請求項９記載の情報処理システム。
【請求項１１】
前記周辺機器は異なるオペレーティングシステムに対応した複数の機器制御ソフトを格納することを特徴とする請求項７〜１０のいずれかに記載の情報処理システム。
【請求項１２】
前記周辺機器は異なるオペレーティングシステムに対応した複数の設定情報を更に格納することを特徴とする請求項１１記載の情報処理システム。
【請求項１３】
前記不揮発メモリの代わりに前記周辺機器に着脱可能な外部記憶装置を用いることを特徴とする請求項７〜１２のいずれかに記載の情報処理システム。
【発明の詳細な説明】
【技術分野】
【０００１】
本発明は、情報処理装置にインストールされたアプリケーションソフトによって周辺機器の動作を制御する情報処理方法及び情報処理システムに関し、更に詳しくは、情報処理装置に周辺機器が接続されたとき、情報処理装置に周辺機器の機器制御ソフトを自動的に取り込む情報処理方法及びシステムに関する。
【背景技術】
【０００２】
近年、コンピュータシステムを応用したＤＶＲ（デジタルビデオレコーダ）、ＤＴＶ（デジタルテレビ）、ＤＳＣ（デジタルスチルカメラ）などのデジタル家電が急速に普及しつつある。
このようなデジタル家電に用いられる機器は、コンピュータシステムなどの情報処理システムと同様に、周辺装置として、不揮発メモリを搭載したメモリーカードのインターフェースを搭載し、メモリーカードを介して情報のやり取りや拡張性を確保している。
【０００３】
このようなデジタル家電用の機器において、当初から予定された機能だけでなく、当初予定されていない機能を追加するには、単純に周辺機器を接続するだけでは実現できず、周辺機器を制御するソフトウェアをインストールするソフトウェアインストール工程が必要となる（特許文献１参照）。
【０００４】
図６は、特許文献１に記載された従来のソフトウェアインストール工程を備えた情報処理システムの構成を示している。図６において、ＦＬＡＳＨＲＯＭ６０３には図７に示すソフトウェアを構成するプログラムが記憶されており、このプログラムをシステムバス６０５を介してＲＡＭ６０２に読み出し、ＣＰＵ６０１でプログラムに基づいた処理を実行することで必要な機能を実現している。
【０００５】
また情報処理装置６００と周辺機器６１０には、それぞれ外部機器とのデータ転送を制御する接続インターフェース（以下、接続ＩＦという）６０４，６１２が設けられており、情報処理装置６００と周辺機器６１０の間でケーブル６２０を介してデータの転送が行われる。
【０００６】
一方、図７は情報処理装置６００の機能を実現するためのソフトウェアの構成を示したものである。ソフトウェアは２層構造をなしており、情報処理装置６００の基本的動作を制御するオペレーティングシステム７０1と、情報処理装置６００の機能を実現するためのアプリケーションソフト７０２で構成されている。
【０００７】
情報処理装置６００において、周辺機器６１０を用いて新たな機能を実現するためには、その機能を実現させるアプリケーションソフト７０２以外に、一般にデバイスドライバと呼ばれる機器制御ソフト７０３をオペレーティングシステム７０１に組み込む必要がある。当初から接続が予定されている周辺機器については、オペレーティングシステム７０１にあらかじめ機器制御ソフト７０３が組み込まれている場合が多いが、接続が当初から予定されていない周辺機器については、図６に示すようにインターネット等のネットワーク６３０を介して機器制御ソフト７０３をダウンロードし、情報処理装置６００にインストールしていた。
【特許文献１】特開２０００−３３０９２０号公報
【発明の開示】
【発明が解決しようとする課題】
【０００８】
しかしながら、上記従来の情報処理方法及びシステムでは、情報処理装置６００に周辺機器６１０を接続する場合、必ずネットワーク６３０に接続して機器制御ソフト７０３をダウンロードする必要があり、情報処理装置６００がネットワーク６３０に接続されていない場合には、機器制御ソフト７０３を自動的にインストールすることが困難であった。
【０００９】
更に、情報処理装置６００に周辺機器６１０を接続した際、アプリケーションソフト７０２を実行する上で必要となるパラメータ等の設定情報７０４は、情報処理装置６００を使用するユーザ自らが入力しなければならず、煩雑な作業が必要になるといった課題を有していた。
【００１０】
本発明は上記従来の課題を解決するもので、情報処理装置に周辺機器を接続した時、周辺機器の不揮発メモリに搭載された機器制御ソフトを自動的に情報処理装置にインストールし、更に情報処理装置から周辺機器を取り外した時、情報処理装置に追加された周辺機器の機器制御ソフトを自動的に削除する情報処理方法及び情報処理システムを提供することを目的とする。
【課題を解決するための手段】
【００１１】
上記課題を解決するために、本発明の情報処理方法は、情報処理装置にインストールされたオペレーティングシステム及びアプリケーションソフト、並びに前記オペレーティングシステムに組み込まれた機器制御ソフトにより周辺機器の動作を制御する情報処理方法であって、前記情報処理装置が前記周辺機器に接続された時、前記情報処理装置は前記周辺機器の不揮発メモリに格納された機器制御ソフトを読み込み、前記オペレーティングシステムに組み込んでオペレーティングシステムを再構築することを特徴とする。
【００１２】
上述したように、周辺機器の不揮発メモリに搭載されている機器制御ソフトを使用することで、ネットワークに接続できない環境下でも自動的に情報処理装置のオペレーティングシステムに機器制御ソフトを組み込むことが可能となる。
【００１３】
上記本発明の情報処理方法において、前記情報処理装置が前記周辺機器に接続された時、前記情報処理装置は、前記周辺機器の不揮発メモリに格納された前記アプリケーションソフトを実行する際に必要となる設定情報を読み込み、前記アプリケーションソフトに設定することが好ましい。
【００１４】
また前記周辺機器が前記情報処理装置から切り離された時、前記情報処理装置は、前記オペレーティングシステムに組み込まれた前記機器制御ソフトを削除してオペレーティングシステムを再構築してもよい。同様に前記周辺機器が前記情報処理装置から切り離された時、前記情報処理装置は前記設定情報を前記アプリケーションソフトから削除してもよい。
【００１５】
また本発明の情報処理方法において、前記周辺機器は異なるオペレーティングシステムに対応した複数の機器制御ソフトを格納してもよい。更に、前記周辺機器は異なるオペレーティングシステムに対応した複数の設定情報を格納してもよい。
このように、１つ以上のオペレーティングシステムの機器制御ソフトを不揮発メモリに格納することで、オペレーティングシステムが異なる情報処理装置に対しても対応が可能となる。
【００１６】
また、本発明の情報処理システムは、オペレーティングシステム及びアプリケーションソフト並びに、前記オペレーティングシステムに組み込まれた機器制御ソフトにより周辺機器の動作を制御することが可能な情報処理装置と、不揮発メモリに前記機器制御ソフトを格納した周辺機器とを備え、前記情報処理装置が前記周辺機器に接続された時、前記情報処理装置は前記周辺機器の不揮発メモリに格納された機器制御ソフトを読み込み、前記オペレーティングシステムに組み込んでオペレーティングシステムを再構築することを特徴とする。
【００１７】
上記本発明の情報処理システムにおいて、前記情報理装置が前記周辺機器に接続された時、前記情報処理装置は、前記周辺機器の不揮発メモリに格納された前記アプリケーションソフトを実行する際に必要となる設定情報を読み込み、前記アプリケーションソフトに設定することが好ましい。
【００１８】
また前記周辺機器が前記情報処理装置から切り離された時、前記情報処理装置は前記オペレーティングシステムに組み込まれた前記機器制御ソフトを削除してオペレーティングシステムを再構築してもよい。同様に、前記周辺機器が前記情報処理装置から切り離された時、前記情報処理装置は前記アプリケーションソフトから前記設定情報を削除してもよい。
【００１９】
また本発明の情報処理システムにおいて、前記周辺機器は異なるオペレーティングシステムに対応した複数の機器制御ソフトを格納してもよい。更に前記周辺機器は異なるオペレーティングシステムに対応した複数の設定情報を格納してもよい。
また前記不揮発メモリの代わりに、前記周辺機器に着脱可能な外部記憶装置を用いてもよい。
【発明の効果】
【００２０】
本発明の情報処理方法及びシステムによれば、周辺機器の不揮発メモリに格納された機器制御ソフトを使用することで、ネットワークに接続できない環境下でも、自動的に情報処理装置のオペレーティングシステムに機器制御ソフトを組み込むことが可能となる。同様に、不揮発メモリに、情報処理装置に周辺機器を接続した際に必要となる設定情報を格納しておくことで、従来ならばユーザが行っていた複雑な設定を自動的に行うことができる。
【発明を実施するための最良の形態】
【００２１】
以下、本発明を実施するための最良の形態について、図面を参照しながら説明する。
（実施の形態１）
本実施の形態１では、情報処理装置に周辺機器を接続する際の機器制御ソフトの自動インストールについて説明する。
【００２２】
図１は本実施の形態１にかかる情報処理システムの構成を示す図である。図１において、情報処理装置１００は、情報処理装置全体の動作を制御するＣＰＵ１０１、プログラムやデータを一時的に保持するＲＡＭ１０２、制御用のプログラム等を記憶したＦＬＡＳＨＲＯＭ１０３、外部機器との間のデータ転送を制御する接続ＩＦ１０４、及び情報処理装置１００の内部でデータのやり取りを行うシステムバス１０５で構成されている。ＦＬＡＳＨＲＯＭ１０３には図２に示すソフトウェア２００を構成するプログラムが格納されており、このプログラムをＲＡＭ１０２に読み出し、ＣＰＵ１０１でプログラムに基づいた処理を実行することで予定された機能を実現する。
【００２３】
一方、周辺機器１１０は機器全体の制御を行うＣＰＵ１１１、ケーブル１３０を介して情報処理装置１００との間でデータの転送を行う接続ＩＦ１１２、内部バス１１３、及び不揮発メモリ１２０で構成されている。不揮発メモリ１２０には機器制御ソフト１２１と設定情報１２２が格納されている。
【００２４】
図２に情報処理装置１００の機能を実現するためのソフトウェア２００の構成を示す。前述したようにソフトウェア２００は２層構造をなしており、情報処理装置１００の基本的動作を制御するオペレーティングシステム２０１と、情報処理装置１００の機能を実現するアプリケーションソフト２０２で構成されている。
【００２５】
情報処理装置１００が周辺機器１１０と接続ケーブル１３０を介して接続された時、情報処理装置１００は、図２に示すように周辺機器１１０の不揮発メモリ１２０に格納されている機器制御ソフト１２１を自動的に読み込んでオペレーティングシステム２０１に組み込み、オペレーティングシステム２０１を再構築する。さらに、アプリケーションソフト２０２を実行する上で必要となる設定情報１２２を読み込み、アプリケーションソフト２０２に設定することで、情報処理装置１００は周辺機器１１０を自動的に制御可能な状態にする。
【００２６】
次に、情報処理装置１００から周辺機器１１０の接続ケーブル１３０が抜かれて、周辺機器１１０が情報処理装置１００から切り離された時、情報処理装置１００は、周辺機器１１０用の機器制御ソフト１２１を確認し、オペレーティングシステム２０１から機器制御ソフト１２１を自動的に削除して、オペレーティングシステム２０１を再構築する。
【００２７】
上記の方法により、情報処理装置がネットワークに接続されていない環境でも、周辺機器の不揮発メモリに格納された機器制御ソフトを使用することで、自動的に情報処理装置のオペレーティングシステムに機器制御ソフトを組み込むことが可能となる。更に、不揮発メモリにアプリケーションソフトを実行する際に必要となる設定情報を格納しておき、この情報を読み込むことで、複雑な設定を自動的に行うことができる。
【００２８】
次に、本発明の情報処理方法及びシステムについて、より具体的に説明する。
情報処理装置１００として例えばデジタルテレビ、周辺機器１１０としてＵＳＢカメラを使用した時、デジタルテレビはＵＳＢに準拠した接続ＩＦ１０４を備え、オペレーティングシステム２０１としてＬｉｎｕｘＯＳ、またアプリケーションソフト２０２としてテレビ電話のアプリケーションで構成する。一方、ＵＳＢカメラは、ＵＳＢに準拠した接続ＩＦ１１２を持ち、不揮発メモリ１２０を保有し、機器制御ソフト１２１として、ＬｉｎｕｘＯＳのデバイスドライバと設定情報１２２を搭載している。
【００２９】
次に、図３に基づいて機器制御ソフトをデジタルテレビにインストールする際のフローを説明する。デジタルテレビに接続ケーブルを介してＵＳＢカメラを接続すると（Ｓ３１）、デジタルテレビはＵＳＢカメラが接続されたことを認識し、ＵＳＢカメラの不揮発メモリを探索して機器制御ソフト、即ちＬｉｎｕｘＯＳのデバイスドライバを捜す（Ｓ３２）。デバイスドライバがない場合（Ｓ３３のＮＯ）は処理を終了し、デバイスドライバがある場合（Ｓ３３のＹＥＳ）はそれを読み込んでオペレーティングシステムに組み込み、ＬｉｎｕｘＯＳを再構築する（Ｓ３４）。更にＵＳＢカメラの不揮発メモリに格納されているテレビ電話を行う接続相手先などの設定情報を読み込んでアプリケーションソフトに設定し（Ｓ３５）、その後、相手先に接続してテレビ電話を開始する（Ｓ３６）。
このようにすることで、ユーザは、デジタルテレビにＵＳＢカメラを接続するだけで容易にテレビ電話を行うことができる。
【００３０】
一方、デジタルテレビに接続されたＵＳＢカメラが抜かれた時には、デジタルテレビは、ＵＳＢカメラ用のデバイスドライバを確認して、ＬｉｎｕｘＯＳからデバイスドライバを自動的に削除し、ＬｉｎｕｘＯＳを再構築する。
なお、ＬｉｎｕｘＯＳからのデバイスドライバの削除については、削除を促すメッセージを表示して、ユーザがデバイスドライバの削除を行うか否かを決定するようにしてもよい。
【００３１】
（実施の形態２）
図４は、本発明の実施の形態２にかかる情報処理システムの構成を示す図である。図４において、図１と同一の機能を有する構成要素には同一符号を付し、説明を省略する。
【００３２】
本実施の形態２において、周辺機器４１０は、不揮発メモリ４２０に２以上のオペレーティングシステムに対応した複数の機器制御ソフトと設定情報を搭載しており、接続する情報処理装置１００のオペレーティングシステム２０１に対応した機器制御ソフト４２１と設定情報４２２を不揮発メモリ４２０に格納するだけでなく、他の情報処理装置のオペレーティングシステムに対応した機器制御ソフト４ｎ１、設定情報４ｎ２を不揮発メモリ４２０内に格納している。
【００３３】
実施の形態２において、複数のオペレーティングシステムに対応した機器制御ソフトと設定情報を周辺機器４１０の不揮発メモリ４２０に格納しておくことにより、異なるオペレーティングシステムが搭載された情報処理装置１００に対しても周辺機器４１０を接続することが可能となる。
【００３４】
機器制御ソフトをオペレーティングシステムに組み込む際の手順は基本的に実施の形態１と同じである。情報処理装置１００は、接続ケーブル１３０を介して周辺機器４１０と接続された時、ファイルの拡張子等を参照して、周辺機器４１０の不揮発メモリ４２０に格納されている、オペレーティングシステム２０１に対応した機器制御ソフト４２１を読み込んで自動的にオペレーティングシステム２０１に組み込み、オペレーティングシステム２０１を再構築する。さらに、アプリケーションソフト２０２に必要な設定情報４２２を読み込むことで、周辺機器４１０を自動的に制御可能な状態にする。
【００３５】
一方、情報処理装置１００から周辺機器４１０の接続ケーブル１３０が抜かれた時も実施の形態１と同様に、情報処理装置１００は、周辺機器４１０用の機器制御ソフト４２１を確認し、オペレーティングシステム２０１から機器制御ソフト４２１を削除して、オペレーティングシステム２０１を自動的に再構築する。
【００３６】
本実施の形態２の情報処理方法及びシステムについて、より具体的に説明する。
情報処理装置１００として、例えばオペレーティングシステムがＬｉｎｕｘであるデジタルテレビを用い、周辺機器４１０としてＵＳＢカメラを用いた時、ＵＳＢカメラには、不揮発メモリ４２０に、ＷｉｎｄｏｗｓＯＳやＬｉｎｕｘＯＳ、さらにはＳｏｌａｒｉｓなどの異なる２つ以上のオペレーティングシステムに対応した機器制御ソフトと設定情報を搭載する。この場合、ＵＳＢカメラが接続ケーブルを介してデジタルテレビに接続された時、ＬｉｎｕｘＯＳに対応した機器制御ソフトと設定情報を不揮発メモリから読み出し、デジタルテレビにインストールする。デジタルテレビのＬｉｎｕｘＯＳは、読み込んだ機器制御ソフトを用いてＬｉｎｕｘＯＳを自動的に再構築する。さらに、テレビ電話を行うアプリケーションソフトに必要な接続相手先等の設定情報を設定することで、ＵＳＢカメラを自動的に制御可能な状態にする。
【００３７】
一方、ＵＳＢカメラが接続ケーブルを介して、Ｗｉｎｄｏｗｓをオペレーティングシステムとして動作しているパーソナルコンピュータに接続された時、Ｗｉｎｄｏｗｓに対応した機器制御ソフトと設定情報を不揮発メモリから読み出し、パーソナルコンピュータにインストールする。パーソナルコンピュータのＷｉｎｄｏｗｓＯＳは、読み込んだ機器制御ソフトを用いてＷｉｎｄｏｗｓＯＳを自動的に再構築する。さらに、ＵＳＢカメラを使用するアプリケーションソフトに対し必要な設定情報を読み込むことで、ＵＳＢカメラを自動的に制御可能な状態にする。
【００３８】
（実施の形態３）
本実施の形態では、周辺機器に内蔵した不揮発メモリの代わりにメモリーカード等の着脱可能な外部記憶装置を用いた時の構成について説明する。図５は、周辺機器に着脱可能な外部記憶装置が接続された本実施の形態３の構成図である。
【００３９】
図５において、周辺機器５１０は、ＣＰＵ１１１、情報処理装置と接続する接続ＩＦ１１２、内部バス１１３及び、外部記憶装置５２０を接続するメモリーインターフェース（以下メモリーＩＦという）５１４で構成されている。一方、外部記憶装置５２０は、機器制御ソフト５２１と設定情報５２２が格納され、また内部バス５２３、メモリーＩＦ５２４を備えており、メモリーＩＦ５１４，５２４を介して周辺機器５１０に着脱可能である。
【００４０】
周辺機器５１０にはメモリーＩＦ５１４，５２４を介して外部記憶装置５２０が接続され、また周辺機器５１０と情報処理装置１００は接続ケーブル１３０（図示せず）を介して接続され、実施の形態１あるいは実施の形態２で説明した動作を行う。
【００４１】
なお、周辺機器に着脱可能な外部記憶装置は、機器制御ソフト５２１及び設定情報５２２を格納するほかに、情報処理装置の外部記憶装置としても使用可能であり、情報の追加、更新、削除も可能である。
また、機器制御ソフト５２１及び設定情報５２２を情報処理装置にインストールした後、当該情報を削除して情報処理装置の外部記憶装置として使用してもよい。
また、１つの外部記憶装置に異なる２つ以上のオペレーティングシステムに対応した機器制御ソフトと設定情報を格納してもよい。更に、オペレーティングシステム毎に機器制御ソフトと設定情報を格納する外部記憶装置であってもよい。
【００４２】
なお、外部記憶装置は、メモリーカードのような不揮発メモリだけでなくハードディスクなどの二次記憶装置であってもよい。
【産業上の利用可能性】
【００４３】
本発明の情報処理方法及びシステムは、情報処理装置に周辺機器を接続したとき、周辺機器の不揮発メモリに搭載された制御ソフトを自動的に情報処理装置にインストールする機能を有し、デジタル家電のようにコンピュータシステムを搭載した機器において周辺機器の拡張などの用途にも広く適用できる。
【図面の簡単な説明】
【００４４】
【図１】本発明の実施の形態１における情報処理システムの構成を示す図
【図２】本発明の実施の形態１に用いるソフトウェアの構成を示す図
【図３】本発明の実施の形態１における情報処理方法のフローを示す図
【図４】本発明の実施の形態２における情報処理システムの構成を示す図
【図５】本発明の実施の形態３における周辺機器と外部記憶装置の構成を示す図
【図６】従来の情報処理システムの構成を示す図
【図７】従来の情報処理システムに用いるソフトウェアの構成を示す図
【符号の説明】
【００４５】
１００  情報処理装置
１０１、１１１  ＣＰＵ
１０２  ＲＡＭ
１０３  ＦＬＡＳＨＲＯＭ
１０４、１１２  接続ＩＦ
１０５  システムバス
１１０  周辺機器
１２０  不揮発メモリ
１２１  機器制御ソフト
１２２  設定情報
１３０  接続ケーブル
２００  ソフトウェア
２０１  オペレーティングシステム
２０２  アプリケーションソフト
４１０  周辺機器
４２０  不揮発メモリ
４２１、４ｎ１  機器制御ソフト
４２２、４ｎ２  設定情報
５１０  周辺機器
５１４、５２４  メモリーＩＦ
５２０  外部記憶装置
５２１  機器制御ソフト
５２２  設定情報
５２３  内部バス
【図１】
2006323510.tif 000003
【図２】
2006323510.tif 000004
【図３】
2006323510.tif 000005
【図４】
2006323510.tif 000006
【図５】
2006323510.tif 000007
【図６】
2006323510.tif 000008
【図７】
2006323510.tif 000009